【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】
情報記録媒体と非接触でデータ通信をする情報処理装置において、
前記情報記録媒体との間で電磁波によってデータを送受信するデータ通信手段と、
前記情報処理装置が送出するポーリングコマンドに対する応答を待機している第１の状態と、前記情報処理装置が前記情報記録媒体に対して所定の処理を実行している第２の状態と、前記所定の処理が完了した第３との状態を示す状態表示手段を有し、
前記データ通信手段が、
所定の位置に配置された、電磁波を放出する電磁波放出手段を有し、
前記状態表示手段が、
前記情報記録媒体が載置される載置部と、前記データ通信手段と前記状態表示手段の動作を制御する制御手段とを備え、
前記制御手段が、
前記第１、第２、あるいは第３の状態を示すように前記状態表示手段の表示を切り換える
ことを特徴とする情報処理装置。
【請求項２】
前記状態表示手段が、
前記載置部に実装された発光ダイオードであり、
前記状態表示手段は、
前記第１、第２、および第３の状態を、それぞれ前記発光ダイオードの点滅による発光、継続した発光、および発光停止により表示する
ことを特徴とする請求項１に記載の情報処理装置。
【請求項３】
前記状態表示手段は、
前記所定の処理が正しく完了しなかった場合に、前記所定の処理が正しく完了しなかった第４の状態を示す
ことを特徴とする請求項１に記載の情報処理装置。
【請求項４】
前記状態表示手段が、
前記載置部に実装された複数の発光ダイオードであり、
前記複数の発光ダイオードのうちの第１の発光ダイオードを発光させて前記第２の状態を示し、
前記複数の発光ダイオードのうちの前記第１の発光ダイオードとは発光色の異なる第２の発光ダイオードを発光させて前記第３の状態を示す
ことを特徴とする請求項１に記載の情報処理装置。
【請求項５】
前記状態表示手段が、
前記載置部に実装された複数の発光ダイオードであり、
前記制御手段は、
前記複数の発光ダイオードのうちの第１の発光ダイオードの駆動により前記第４の状態以外の他の状態を示し、
前記複数の発光ダイオードのうちの前記第１の発光ダイオードとは発光色の異なる第２の発光ダイオードの駆動により前記第４の状態を示す
ことを特徴とする請求項３に記載の情報処理装置。
【請求項６】
前記データ通信手段は、
前記ポーリングコマンドに対して応答が得られると、前記情報記録媒体との間でデータの送受信を開始し、
前記制御手段は、
前記応答が得られるまでの期間と前記データを送受する期間とで、前記状態表示手段の表示を切り換える
ことを特徴とする請求項１に記載の情報処理装置。
【請求項７】
前記応答を得るまでの期間の表示が、前記情報記録媒体が呈示される位置を示す表示である
ことを特徴とする請求項６に記載の情報処理装置。
【請求項８】
前記制御手段は、
前記情報記録媒体との間でデータ送受する処理が正しく終了した場合と正しく処理できなかった場合とで前記状態表示手段の表示を切り換える
ことを特徴とする請求項１に記載の情報処理装置。
【請求項９】
前記制御手段は、
前記状態表示手段の表示の切り換えと連動して、音発生手段を駆動して所定の音を発生させる
ことを特徴とする請求項１に記載の情報処理装置。
【請求項１０】
前記情報記録媒体が、非接触型ＩＣカードである
ことを特徴とする請求項１に記載の情報処理装置。
【請求項１１】
前記データ送受信の処理が、前記情報記録媒体に記録された電子マネーの処理である
ことを特徴とする請求項６に記載の情報処理装置。
【請求項１２】
前記情報記録媒体を搬送する搬送手段をさらに有し、
前記制御手段は、
前記状態表示手段の表示の切り換えに連動して前記搬送手段の動作を切り換える
ことを特徴とする請求項１に記載の情報処理装置。
【請求項１３】
前記搬送手段は、
前記情報記録媒体を目視可能に搬送する
ことを特徴とする請求項１２に記載の情報処理装置。
【請求項１４】
前記搬送手段は、
前記情報記録媒体の自由落下により前記情報記録媒体を搬送する
ことを特徴とする請求項１３に記載の情報処理装置。
【請求項１５】
前記状態表示手段が、
前記情報記録媒体が載置される載置部、あるいは前記情報記録媒体を格納する格納部に配された発光デバイスで構成されている
ことを特徴とする請求項１に記載の情報処理装置。
【請求項１６】
発光デバイスが配置された載置部を有する端末装置を介して情報記録媒体に記録されている情報にアクセスするデータ通信方法であって、
前記情報記録媒体にポーリングコマンドを送出する工程と、
前記ポーリングコマンドに対する応答を受信して前記情報記録媒体を認証し、認証が成功した場合、前記情報記録媒体に対して所定の処理を行う工程とを有し、  
前記ポーリングコマンド送出して応答を待つ第１の状態と、前記所定の処理を行っている第２の状態と、前記所定の処理が完了した第３の状態とで、前記発光デバイスの発光状態を切り換える
ことを特徴とするデータ通信方法。
【請求項１７】
前記第１、第２、および第３の状態を、それぞれ前記発光デバイスの点滅発光、継続発光、発光停止により表示する
ことを特徴とする請求項１６に記載のデータ通信方法。
【請求項１８】
前記所定の処理が正しく完了しなかった場合、前記発光デバイスと発光色の異なる発光デバイスを発光させる
ことを特徴とする請求項１６に記載のデータ通信方法。
【請求項１９】
前記情報記録媒体との間のデータ通信において、前記所定の処理が正しく完了した場合と正しく完了しなかった場合とで、異なる音を発生する
ことを特徴とする請求項１６に記載のデータ通信方法。
【手続補正２】
【補正対象書類名】明細書
【補正対象項目名】００１１
【補正方法】変更
【補正の内容】
【００１１】
【課題を解決するための手段】
かかる課題を解決するため請求項１の発明は、情報記録媒体と非接触でデータ通信をする情報処理装置において、前記情報記録媒体との間で電磁波によってデータを送受信するデータ通信手段と、前記情報処理装置が送出するポーリングコマンドに対する応答を待機している第１の状態と、前記情報処理装置が前記情報記録媒体に対して所定の処理を実行している第２の状態と、前記所定の処理が完了した第３の状態とを示す状態表示手段を有し、前記データ通信手段が、所定の位置に配置された、電磁波を放出する電磁波放出手段を有し、前記状態表示手段が、前記情報記録媒体が載置される載置部と、前記データ通信手段と前記状態表示手段の動作を制御する制御手段とを備え、前記制御手段が、前記第１、第２、あるいは第３の状態を示すように前記状態表示手段の表示を切り換えるようにする。
【手続補正３】
【補正対象書類名】明細書
【補正対象項目名】００１２
【補正方法】変更
【補正の内容】
【００１２】
また請求項１６の発明においては、発光デバイスを配置した載置部を有する端末装置を介して情報記録媒体に記録されている情報にアクセスするデータ通信方法であって、前記情報記録媒体にポーリングコマンドを送出する工程と、前記ポーリングコマンドに対する応答を受信して前記情報記録媒体を認証し、認証が成功した場合、前記情報記録媒体に対して所定の処理を行う工程とを有し、前記ポーリングコマンド送出して応答を待つ第１の状態と、前記所定の処理を行っている第２の状態と、前記所定の処理が完了した第３の状態とで、前記発光デバイスの発光状態を切り換えるようにする。
【手続補正４】
【補正対象書類名】明細書
【補正対象項目名】００１３
【補正方法】削除
【補正の内容】
【手続補正５】
【補正対象書類名】明細書
【補正対象項目名】００１５
【補正方法】変更
【補正の内容】
【００１５】
これにより請求項１６の構成によれば、非接触によりアクセスすることができる情報記録媒体の特徴を有効に利用したユーザーインターフェースによるデータ通信方法を提供することができる。
【手続補正６】
【補正対象書類名】明細書
【補正対象項目名】００１６
【補正方法】削除
【補正の内容】